(57)【特許請求の範囲】
【請求項１】
一方の光ファイバを保持し、相手側コネクタに保持された他方の光ファイバに接続する光コネクタにおいて、
ハウジングと、
前記ハウジングの一端部に収容された中継用光ファイバと、
前記中継用光ファイバの一端部を支持するとともに、前記ハウジングの一端部に光ファイバ挿抜方向へ移動可能に設けられたフェルールと、
前記ハウジングに収容され、前記中継用光ファイバの他端部とこれに接続される前記一方の光ファイバの先端部とを付き合わせるスリーブと、
前記ハウジングの一端部に設けられ、前記他方の光ファイバに設けられた前記相手側コネクタに接続可能なケーシングと、
前記ケーシング内に設けられ、前記フェルールの先端部が前記ケーシングの一端部から押し出される方向へ前記フェルールを押す弾性体と、
前記一方の光ファイバの先端部を挿入可能な光ファイバ挿入可能位置と前記一方の光ファイバを固定する光ファイバ固定位置との間で直線的に移動可能に前記ハウジングの他端部に連結され、前記ハウジングの長手方向と斜めに交差する方向に沿って前記光ファイバ挿入可能位置から前記光ファイバ固定位置へ移動したとき、前記一方の光ファイバの先端部を前記中継用光ファイバの他端部に送って前記一方の光ファイバを前記ハウジングに固定する光ファイバ固定手段とを備え、
前記ハウジングは、前記スリーブの両端部に接着剤を供給するための供給孔を有し、前記供給孔を開閉する開閉部材が前記ハウジングに設けられている
ことを特徴とする光コネクタ。
【請求項２】
前記光ファイバ固定手段は、前記光ファイバ固定位置へ動いたときに前記開閉部材を移動させて前記供給孔を閉じるように前記開閉部材に係合することを特徴とする請求項１記載の光コネクタ。
【請求項３】
前記開閉部材が前記ハウジングに着脱可能であることを特徴とする請求項１記載の光コネクタ。
【請求項４】
前記ハウジングは、前記中継用光ファイバを撓ませるための予圧空間部を有することを特徴とする請求項１〜３のいずれか１項記載の光コネクタ。
【請求項５】
前記ハウジングは、前記一方の光ファイバの端部を撓ませるための予圧空間部を有することを特徴とする請求項１〜４のいずれか１項記載の光コネクタ。
【請求項６】
前記ハウジングの他端部にカムピンが設けられ、このカムピンと係合して前記光ファイバ固定手段をガイドするカム孔が前記光ファイバ固定手段に形成されている
ことを特徴とする請求項１〜５のいずれか１項記載の光コネクタ。
【請求項７】
前記光ファイバ固定手段は、前記光ファイバ挿入可能位置から前記光ファイバ固定位置へ移動する間に前記一方の光ファイバに接触する平坦面を有していることを特徴とする請求項１〜６のいずれか１項記載の光コネクタ。
【発明の詳細な説明】
【技術分野】
【０００１】
この発明は光ファイバ同士を接続する光コネクタに関する。
【背景技術】
【０００２】
従来の光コネクタとして、フェルールとメカニカルスプライスと主コネクタハウジングとを備えるものがある（下記特許文献１参照）。
【０００３】
フェルールは円柱状である。フェルールには短尺光ファイバ（裸ファイバ）が保持されている。この短尺光ファイバは接着剤等でフェルールに固定されている。フェルールの前端面は研磨されている。
【０００４】
メカニカルスプライスは、フェルールの後端面に固定されたベース部と、このベース部上に設けられた押圧部と、ベース部と押圧部とをクランプする２つのクランプ部材とを有している。
【０００５】
ベース部上にはファイバ溝が形成されている。フェルールからの短尺光ファイバの延出部分はそのファイバ溝に配置されている。ファイバ溝には光ファイバも配置されている。光ファイバの先端面が短尺光ファイバの後端面に突き合わされている。
【０００６】
押圧部は光ファイバと短尺光ファイバとを覆うように配置されている。クランプ部材はＵ字型の弾性体である。このクランプ部材によりベース部と押圧部とを挟み込むことにより、光ファイバと短尺光ファイバとが固定される。
【０００７】
ベース部及び押圧部には、ベース部と押圧部との間を押し開くためのくさびが挿入される２つのスリットを形成する溝部が設けられている。
【０００８】
フェルール及びメカニカルスプライスは、断面ほぼ矩形の主コネクタハウジング内に収容されている。フェルールの先端部は主コネクタハウジングの前端面から所定長だけ突出している。主コネクタハウジングの下面部には、メカニカルスプライスを露出させるための２つの長孔が形成されている。主コネクタハウジングとメカニカルスプライスとの間には、主コネクタハウジングの前側にメカニカルスプライスを付勢するバネが配置されている。
【０００９】
この光コネクタにおける光ファイバと短尺光ファイバとの接続作業は次の通りである。
【００１０】
まず、主コネクタハウジングの長孔を通じてくさびをスリットに入れ、クランプ部材のバネ力に抗してベース部と押圧部との間を押し開く。
【００１１】
次に、この状態で光ファイバと短尺光ファイバとをそれぞれベース部のファイバ溝に挿入する。
【００１２】
その後、くさびをスリットから引き抜く。その結果、クランプ部材によりベース部と押圧部と突き合わされた状態になる。
【００１３】
以上の作業により、光ファイバと短尺光ファイバとの端面同士がファイバ溝内で突き合わされ、光ファイバと短尺光ファイバとが光学的に接続される。
【特許文献１】特開２００５−１４０９８９号公報
【発明の開示】
【発明が解決しようとする課題】
【００１４】
従来の光コネクタでは、フェルールに保持された短尺光ファイバとこれに接続される光ファイバとを接続するためには、クランプ部材のバネ力に抗してスリットにくさびを挿入してベース部材と押圧部との間をこじ開け、短尺光ファイバ及び光ファイバをファイバ溝内に挿入した後、ベース部材と押圧部とによって強く挟まれたくさびを引き抜かなければならない。このため、従来の光コネクタでは、短尺光ファイバと光ファイバとの接続作業が面倒だった。
【００１５】
この発明はこのような事情に鑑みてなされたもので、その課題は、フェルールに支持された中継用光ファイバとこれに接続される一方の光ファイバとの接続作業を簡単に行うことができる光コネクタを提供することである。
【課題を解決するための手段】
【００１６】
上述の課題を解決するため請求項１記載の発明のコネクタは、一方の光ファイバを保持し、相手側コネクタに保持された他方の光ファイバに接続する光コネクタにおいて、ハウジングと、前記ハウジングの一端部に収容された中継用光ファイバと、前記中継用光ファイバの一端部を支持するとともに、前記ハウジングの一端部に光ファイバ挿抜方向へ移動可能に設けられたフェルールと、前記ハウジングに収容され、前記中継用光ファイバの他端部とこれに接続される前記一方の光ファイバの先端部とを付き合わせるスリーブと、前記ハウジングの一端部に設けられ、前記他方の光ファイバに設けられた前記相手側コネクタに接続可能なケーシングと、前記ケーシング内に設けられ、前記フェルールの先端部が前記ケーシングの一端部から押し出される方向へ前記フェルールを押す弾性体と、前記一方の光ファイバの先端部を挿入可能な光ファイバ挿入可能位置と前記一方の光ファイバを固定する光ファイバ固定位置との間で直線的に移動可能に前記ハウジングの他端部に連結され、前記ハウジングの長手方向と斜めに交差する方向に沿って前記光ファイバ挿入可能位置から前記光ファイバ固定位置へ移動したとき、前記一方の光ファイバの先端部を前記中継用光ファイバの他端部に送って前記一方の光ファイバを前記ハウジングに固定する光ファイバ固定手段とを備え、前記ハウジングは、前記スリーブの両端部に接着剤を供給するための供給孔を有し、前記供給孔を開閉する開閉部材が前記ハウジングに設けられていることを特徴とする。
【００１７】
上述のように、光ファイバ固定手段が光ファイバ挿入可能位置と光ファイバ固定位置との間で移動可能にハウジングの他端部に設けられ、光ファイバ固定手段が光ファイバ挿入可能位置から光ファイバ固定位置へ移動したとき、一方の光ファイバの先端部を中継用光ファイバの他端部に送って一方の光ファイバをハウジングに固定する。反対に、光ファイバ固定手段が光ファイバ固定位置から光ファイバ挿入可能位置へ移動したとき、ハウジングに対する一方の光ファイバの固定状態が解除される。したがって、中継用光ファイバと一方の光ファイバとの接続作業を簡単に行うことができる。
【００１９】
請求項２記載の発明は、請求項１記載の光コネクタにおいて、前記光ファイバ固定手段は、前記光ファイバ固定位置へ動いたときに前記開閉部材を移動させて前記供給孔を閉じるように前記開閉部材に係合することを特徴とする。
【００２０】
請求項３記載の発明は、請求項１記載の光コネクタにおいて、前記開閉部材が前記ハウジングに着脱可能であることを特徴とする。
【００２１】
請求項４記載の発明は、請求項１〜３のいずれか１項記載の光コネクタにおいて、前記ハウジングは、前記中継用光ファイバを撓ませるための予圧空間部を有することを特徴とする。
【００２２】
請求項５記載の発明は、請求項１〜４のいずれか１項記載の光コネクタにおいて、前記ハウジングは、前記一方の光ファイバの端部を撓ませるための予圧空間部を有することを特徴とする。
【００２３】
請求項６記載の発明は、請求項１〜５のいずれか１項記載の光コネクタにおいて、前記ハウジングの他端部にカムピンが設けられ、このカムピンと係合して前記光ファイバ固定手段をガイドするカム孔が前記光ファイバ固定手段に形成されていることを特徴とする。
【００２４】
請求項７記載の発明は、請求項１〜６のいずれか１項記載の光コネクタにおいて、前記光ファイバ固定手段は、前記光ファイバ挿入可能位置から前記光ファイバ固定位置へ移動する間に前記一方の光ファイバに接触する平坦面を有していることを特徴とする。
【発明の効果】
【００２５】
この発明によれば、フェルールに支持された中継用光ファイバとこれに接続される一方の光ファイバとの接続作業を簡単に行うことができる。
【発明を実施するための最良の形態】
【００２６】
以下、この発明の実施の形態を図面に基づいて説明する。
【００２７】
図１はこの発明の一実施形態に係る光コネクタを斜め上方から見た分解斜視図、図２は図１に示す光コネクタを別のアングルから見た分解斜視図、図３Ａは図１に示す光コネクタの中継用光ファイバと一方の光ファイバとを接続する前の状態を示す側面図、図３Ｂは同光コネクタの中継用光ファイバと一方の光ファイバとを接続した後の状態を示す側面図、図３Ｃは同光コネクタの中継用光ファイバと一方の光ファイバとを接続した後の状態を示す平面図である。但し、図３Ａ〜３Ｃにおいてケーシングとコイルスプリングとは断面で描かれている。図４は図１に示す光コネクタの第３ケーシング部材を水平に切断した図である。
【００２８】
図１、２に示すように、光コネクタはメカニカルスプライス１とフェルール１２と中継用光ファイバ１７とケーシング１４とコイルスプリング（弾性体）１５（図３参照）とを備える。
【００２９】
メカニカルスプライス１は、図３Ａ〜３Ｃに示すように、ハウジング２とこのハウジング２に設けられたスライダ（光ファイバ固定手段）７とを備えている。この実施形態のメカニカルスプライス１は外径が０．２５ｍｍの中継用光ファイバ（外皮が除去された状態の光ファイバ）１７と外径が０．２５ｍｍの光ファイバ心線１８ａを有する光ファイバ（一方の光ファイバ）１８とを接続するものである。
【００３０】
フェルール１２はフェルール本体１２１とフランジ部１２２と挿入部１２３とを有する。フェルール本体１２１はほぼ円柱状である。フェルール本体１２１には中継用光ファイバ１７の一端部が通され、接着されている。フェルール本体１２１の先端面（突合せ面）は中継用光ファイバ１７の先端面とともに研磨されている。
【００３１】
フランジ部１２２はフェルール本体１２１の外周面に形成されている。フランジ部１２２はコイルスプリング１５の一端と当接する。
【００３２】
挿入部１２３はフェルール本体１２１の外周面に形成され、フランジ部１２２に隣接している。挿入部１２３はコイルスプリング１５の一端部に挿入される。
【００３３】
ケーシング１４は図１、２に示すように第１ケーシング部材１４１と第２ケーシング部材１４２と第３ケーシング部材１４３とで構成されている。
【００３４】
第１ケーシング部材１４１はほぼ円柱状であり、金属で形成されている。第１ケーシング部材１４１は収容部１４１ｂと連通部１４１ｃと挿入口１４１ｄとを有する。
【００３５】
収容部１４１ｂはコイルスプリング１５を収容するとともにコイルスプリング１５の他端部を支持する。また、収容部１４１ｂはフェルール１２がケーシング１４内で後退したとき、フランジ部１２３を受け入れる。
【００３６】
コイルスプリング１５はフェルール本体１２１の先端が第２ケーシング部材１４２の先端から突出すようにフランジ部１２２を押圧する。
【００３７】
連通部１４１ｃは収容部１４１ｂの隣に形成されている。連通部１４１ｃは収容部１４１ｂと挿入口１４１ｄとを繋げている。
【００３８】
挿入口１４１ｄは第１のケーシング部材１４１の後端部に形成され、連通部１４１ｃに隣接している。挿入口１４１ｄには後述するベース３の一端側部分３ｂが挿入される。
【００３９】
第１ケーシング部材１４１の外面には一対の突起１４１ｆが形成されている（図３Ｃ参照）。また、第１ケーシング部材１４１の後端面には挿入穴１４１ｇが形成されている（図３Ａ、３Ｂ参照）。
【００４０】
挿入口１４１ｄの内面には凹部１４１ｈが形成されている（図３ｃ参照）。
【００４１】
第２ケーシング部材１４２の外面はほぼ角筒状であるが、内面はほぼ円筒状であり、樹脂で形成されている。第２ケーシング部材１４２内には隔壁１４２ａが形成されている。隔壁１４２ａによって第２ケーシング部材１４２は第１の部屋１４２ｃと第２の部屋１４２ｄとに仕切られている。隔壁１４２ａには孔１４２ｂが形成されている。孔１４２ｂによって第１の部屋１４２ｃと第２の部屋１４２ｄとは互いに通じている。
【００４２】
第１の部屋１４２ｃは第１ケーシング部材１４１、フランジ部１２２等を収容する。フランジ部１２２は隔壁１４２ａに当接し、第２の部屋１４２ｄへ移動できない。第２の部屋１４２ｄはフェルール本体１２１の前側部分を収容する。
【００４３】
第２ケーシング部材１４２の後部には一対のロック孔１４２ｅが形成されている（図３Ｃ参照）。ロック孔１４２ｅは突起１４１ｆを受け入れて係止する。
【００４４】
第２ケーシング部材１４２の両側面にはそれぞれくさび状の突起１４２ｆが形成されている。
【００４５】
第３ケーシング部材１４３はほぼ筐体状であり、第１、第２ケーシング部材１４１，１４２等を収容する。図４に示すように、第３ケーシング部材１４３の両面にはそれぞれ切欠１４３ａが形成されている。切欠１４３ａは第２ケーシング部材１４２の突起１４２ｆを受け入れて係止する。また、第３ケーシング部材１４３の上面には誤嵌合防止用のキー１４３ｂ（図１、２参照）が形成されている。
【００４６】
第３ケーシング部材１４３はアダプタ（図示せず）の一端部に挿入される。アダプタの他端部には相手側の光コネクタ（図示せず）が挿入される。相手側の光コネクタには他方の光ファイバ（図示せず）が接続されている。
【００４７】
メカニカルスプライス１のハウジング２はベース３とカバー５とで構成されている。
【００４８】
図５Ａはベースの正面図、図５Ｂは同ベースの平面図、図５Ｃは図５ＢのＶＣ−ＶＣ線に沿う断面図、図５Ｄは同ベースの右側面図、図６Ａは図２に示すベースの斜視図、図６Ｂは同ベースを裏返した状態を示す斜視図である。
【００４９】
図５Ａ〜５Ｃ、図６Ａ、６Ｂに示すように、ベース３はほぼ角柱状である。ベース３は中央部分３ａと一端側部分３ｂと他端側部分３ｃとを有する。中央部分３ａは一端側部分３ｂと他端側部分３ｃとの間にある。一端側部分３ｂはほぼ円筒状である。一端側部分３ｂの外径は他端側部分３ｃの幅よりも大きいが、中央部分３ａの幅よりも小さい（図５Ｂ参照）。他端側部分３ｃ高さと中央部分３ａ高さとは同じであるが、一端側部分３ｂの外径寸法は、他端側部分３ｃ及び中央部分３ａの高さ寸法よりも小さい。一端側部分３ｂは第１ケーシング部材１４１の挿入口１４１ｄに挿入される。一端側部分３ｂには一対の突起３ｅが形成されている。
【００５０】
ベース３の上面にはベース３の長手方向（ハウジング２の長手方向）Ｌに沿って中央凹部３０が形成されている（図５Ｂ、５Ｄ参照）。中央凹部３０の一端はベース３の長手方向Ｌの一端面に達し、中央凹部３０の他端はベース３の長手方向Ｌの他端面に達する。中央凹部３０は、中央部分３０ａ（ベース３の中央部３ａに形成されている部分）と一端側部分３０ｂ（ベース３の一端側部分３ｂに形成されている部分）と他端側部分３０ｃ（ベース３の他端側部分３ｃに形成されている部分）とを有する。中央部分３０ａの幅と一端側部分３０ｂの幅と他端側部分３０ｃの幅とは同じである。しかし、中央部分３０ａの深さは一端側部分３０ｂ及び他端側部分３０ｃの深さよりも浅い。そのため、中央部分３０ａと一端側部分３０ｂとの境界、中央部分３０ａと他端側部分３０ｃとの境界には段差面３０ｄがある。段差面３０ｄの高さは光ファイバ１８の被覆１７ｂ，１８ｂの厚さにほぼ等しい。他端側部分３０ｃの深さは一定である。一端側部分３０ａの深さは、一端側部分３０ａの先端（中央部分３０ａと反対側端）に近づく程深くなる。一端側部分３０ａの中央部分３０ａ側の深さは他端側部分３０ｃの深さと同じである。
【００５１】
中央凹部３０の底面には、１つのスリーブ収容溝３１と１つの第１光ファイバ収容溝３２と１つの第２光ファイバ収容溝３３とが形成されている。スリーブ収容溝３１は中央凹部３０の中央に位置している。
【００５２】
第１光ファイバ収容溝３２の一端はスリーブ収容溝３１に通じ、他端はベース３の長手方向Ｌの一端面に達する。第１光ファイバ収容溝３２は第１の予圧空間部３２ａと心線収容部３２ｂとを有する。第１の予圧空間部３２ａは中継用光ファイバ１７（図３Ａ、３Ｂ参照）を金属スリーブ（スリーブ）１０へ導くとともに、中継用光ファイバ１７の撓みを可能にする。第１の予圧空間部３２ａの幅は中継用光ファイバ１７の外径よりも僅かに大きい。心線収容部３２ｂはハウジング２の高さ方向で金属スリーブ１０とフェルール１２との位置の違いを克服するために傾斜している。心線収容部３２ｂは中継用光ファイバ１７の一部分を収容する。心線収容部３２ｂの深さは、中継用光ファイバ１７の外径のほぼ半分である。心線収容部３２ｂの幅は光ファイバ１７の外径よりも僅かに大きい。
【００５３】
第２光ファイバ収容溝３３の一端はスリーブ収容溝３１に通じ、他端はベース３の長手方向Ｌの他端面に達する。第２光ファイバ収容溝３３は第２の予圧空間部３３ａと被覆収容部３３ｂとを有する。第２の予圧空間部３３ａは光ファイバ１８（図３Ａ、３Ｂ参照）の光ファイバ心線１８ａを金属スリーブ１０へ導くとともに、光ファイバ心線１８ａの撓みを可能にする。第２の予圧空間部３３ａの幅は光ファイバ心線１８ａの外径よりも僅かに大きい。被覆収容部３３ｂは光ファイバ１８の被覆された部分を収容する。被覆収容部３３ｂの深さは、光ファイバ１８の外径のほぼ半分である。被覆収容部３３ｂの幅は光ファイバ１８の外径よりも僅かに大きい。
【００５４】
ベース３の他端部の正面及び背面にはそれぞれ２つのカムピン３６，３７が形成されている。カムピン３６，３７は円柱状である。カムピン３６，３７はベース３の長手方向Ｌとほぼ平行な仮想直線上に並んでいる。カムピン３６，３７の軸線方向はベース３の長手方向Ｌ及びベース３の高さ方向Ｈのそれぞれに対して直角である。
【００５５】
ベース３の中央部の正面及び背面にはそれぞれ２つの凹部３８が形成されている。各凹部３８の底面には突起３９が形成さている。突起３９には傾斜面３９ａが形成されている（図６Ａ、６Ｂ参照）。
【００５６】
ベース３の底面には複数の凹部３ｆが形成されている。
【００５７】
図７Ａは図１に示す光コネクタのメカニカルスプライスのハウジングのカバーの正面図、図７Ｂは同カバーの平面図、図７Ｃは図７ＢのVIIＣ−VIIＣ線に沿う断面図、図８Ａは図７に示すカバーの斜視図、図８Ｂは同カバーを裏返しにした状態を示す斜視図である。
【００５８】
図７Ａ〜７Ｃ、図８Ａ、８Ｂに示すように、カバー５は平板部５１と突出片５２とを有する。
【００５９】
平板部５１の下面５１ｂにはスリーブ押え部５３と覆い部５４，５５とが形成されている。スリーブ押え部５３は下面５１ｂの中央に位置する。スリーブ押え部５３の下面中央部には凸部５３ｃが形成されている。覆い部５４は下面５１ｂの一端部に位置する。覆い部５５は下面５１ｂの他端部に位置する。カバー５がベース３に装着されたとき、スリーブ押え部５３及び覆い部５４，５５はベース３の中央凹部３０に挿入され、スリーブ押え部５３はベース３のスリーブ収容溝３１に収容された金属スリーブ１０（図１参照）を押える。このとき、凸部５３ｃは後述する金属スリーブ１０の窓孔１０ｂを塞ぐ。また、覆い部５４，５５はそれぞれベース３の第１、第２の光ファイバ収容溝３２，３３の第１、第２の予圧空間部３２ａ，３３ａを覆う。金属スリーブ１０は心線収容孔１０ａを有する（図３Ａ、３Ｂ参照）。また、金属スリーブ１０は窓孔１０ｂを有する（図３Ａ、３Ｂ参照）。金属スリーブ１０のほぼ中央部に位置する窓孔１０ｂを通じて心線収容孔１０ａにマッチングオイルが供給される。
【００６０】
平板部５１の上面５１ａには２つの収容溝５６，５７が形成されている（図８Ａ参照）。収容溝５６，５７は平板部５１の長手方向へ延びている。収容溝５６，５７と覆い部５４，５５とは板厚方向でそれぞれ対向する。収容溝５６，５７の幅は覆い部５４，５５の幅よりも狭い。また、収容溝５６，５７の長さは覆い部５４，５５の長さよりも長い。
【００６１】
平板部５１の下面５１ｂのスリーブ押え部５３と覆い部５４との間に凹部５８が形成されている。凹部５８と収容溝５６とは供給孔５８ｂで通じている。凹部５８に隣接させてスリーブ押え部５３には係合片５３ａが形成されている。
【００６２】
平板部５１の下面５１ｂのスリーブ押え部５３と覆い部５５との間に凹部５９が形成されている。凹部５９と収容溝５７とは供給孔５９ｂで通じている。凹部５９に隣接させてスリーブ押え部５３には係合片５３ｂが形成されている。
【００６３】
突出片５２は平板部５１に結合されている。突出片５２には孔５２ａが形成されている。突出片５２はベース３の凹部３８（図６Ａ、６Ｂ参照）に収容される。孔５２ａは突出片５２が凹部３８に収容されたときに突起３９を受け入れる。これにより、突出片５２はベース３に係止され、カバー５はベース３に接合される。
【００６４】
図９Ａは図１の光コネクタのメカニカルスプライスのスライダの正面図、図９Ｂは同スライダの平面図、図９Ｃは同スライダの底面図、図９Ｄは図９ＢのIXＤ−IXＤ線に沿う断面図、図９Ｅは同スライダの左側面図、図９Ｆは同スライダの右側面図、図１０Ａは図８に示すスライダの斜視図、図１０Ｂは同スライダを図１０Ａと反対方向から見た斜視図、図１０Ｃは同スライダを裏返した状態を示す斜視図、図１０Ｄは同スライダを図１０Ｃと反対方向から見た斜視図である。
【００６５】
図９Ａ〜９Ｆ、図１０Ａ〜１０Ｄに示すように、スライダ７は覆い板７１と２つの係合板７２とを有する。
【００６６】
覆い板７１の上面７１ａには滑り止め７１ｃが形成されている。滑り止め７１ｃは上面７１ａの中央部に形成されたひし形の凹部７１ｄとこの凹部７１ｄの底面に形成された突起７１ｅとで構成されている（図９Ｂ、９Ｄ参照）。覆い板７１の一端部には係合凹部７１ｇが形成されている（図９Ｄ参照）。係合凹部７１ｇは後述するシャッタ９の係合片９３を受け入れ、シャッタ９を係止する。覆い板７１の他端部には光ファイバ１８との接触を避けるための切欠き７１ｈ（図９Ｂ参照）が形成されている。覆い板７１の切欠き７１ｈに隣接する部分の下面は傾斜面７１ｉになっている。傾斜面７１ｉは後述する交差方向Ｄｃとほぼ平行な面である（図９Ａ参照）。
【００６７】
２つの係合板７２は覆い板７１に結合され、互いに対向している。各係合板７２には２つのカム孔７２ａ，７２ｂが形成されている。カム孔７２ａ，７２ｂはスライダ７の長手方向Ｌｓに対して斜めに交差する交差方向Ｄｃへ延び、互いに平行な長溝である。カム孔７２ａ，７２ｂはくびれた部分を有する。くびれた部分の間隔はカムピン３６，３７の外径よりも僅かに小さい。カム孔７２ａにはベース３のカムピン３６が通され、カム孔７２ｂにはカムピン３７が通される。カムピン３６，３７はカム孔７２ａ，７２ｂによって交差方向Ｄｃ方向へ相対的に案内され、スライダ７は交差方向Ｄｃに沿ってスライド可能である。
【００６８】
スライダ７が金属スリーブ１０から最も離れたとき、スライダ７はベース３から浮き上がった状態になる。このとき第２光ファイバ収容溝３３への光ファイバ１８の挿入を容易に行える。このときのスライダ７の位置が光ファイバ挿入可能位置である。光ファイバ挿入可能位置からスライダ７を金属スリーブ１０の方へ移動させると、カムピン３６，３７がそれぞれ孔７２ａ，７２ｂ内を相対的に移動し、カムピン３６，３７はそれぞれカム孔７２ａ，７２ｂのくびれた部分で係止される。このとき、スライダ７は光ファイバ１８をベース３に押し付け、光ファイバ１８をベース３に固定する。このときのスライダ７の位置が光ファイバ固定位置である。
【００６９】
覆い板７１の下面７１ｂには光ファイバ押え部７３が形成されている。光ファイバ押え部７３のベース３側には平坦面７３ａと傾斜面７３ｂとが形成されている。光ファイバ押え部７３はベース３の中央凹部３０に嵌合し、その平坦面７３ａは光ファイバ１８の被覆部１８ｂ（図１参照）と線接触して光ファイバ１８を押える。傾斜面７３ｂは交差方向Ｄｃとほぼ平行である。
【００７０】
図１１Ａはシャッタの正面図、図１１Ｂは同シャッタの平面図、図１１Ｃは同シャッタの底面図、図１１Ｄは同シャッタの側面図である。
【００７１】
図１１Ａ〜１１Ｄに示すように、シャッタ（開閉部材）８はほぼ長板状である。シャッタ８の上面８ａには２つの凹部８１が形成されている。また、シャッタ８の長手方向の両端部にはそれぞれ係合片８２，８３が形成されている。係合片８２，８３の肉厚はシャッタ８の係合片８２，８３以外の部分の肉厚よりも薄い。
【００７２】
シャッタ８はカバー５の収容溝５６に着脱可能に収容される。シャッタ８を収容溝５６に対して着けたり外したりしてカバー５の供給孔５８ｂを開閉する。
【００７３】
シャッタ（開閉部材）９はシャッタ８と同様の構成であるので、便宜上、図１１Ａ〜１０Ｄに開閉部材９の各部の符号を括弧書きして示す。シャッタ９の上面９ａ、凹部９１、係合片９２，９３はそれぞれシャッタ８の上面８ａ、凹部８１、係合片８２，８３と同様である。
【００７４】
シャッタ９はカバー５の収容溝５７に摺動可能に収容される。シャッタ９は収容溝５７内で摺動して、カバー５の孔５９ｂを開閉する。
【００７５】
この実施形態では、シャッタ８の材料として、弾性変形可能な樹脂が用いられている。
シャッタ９の材料としては弾性変形可能な材料でなくても構わないが、シャッタ８との共通部品化を図るためにシャッタ８と同じ材料が用いられている。
【００７６】
メカニカルスプライス１は光ファイバ１８を通すことが可能なブーツ１６によって覆われる。
【００７７】
次に、この実施形態の光コネクタへの光ファイバ１８の接続作業について説明する。
【００７８】
接続作業に先立ち、予め光コネクタを組み立てておく。また、光ファイバ１８の末端部の被覆部１８ｂを除去し、光ファイバ心線１８ａを露出させておく。
【００７９】
光コネクタを組み立てる作業には、大きく分けて２つの作業がある。一つはケーシング１４内にフェルール１２及びコイルスプリング１５を組み込む作業で、もう一つの作業はメカニカルスプライスを組み立てる作業である。以下、これらの作業について具体的に説明する。
【００８０】
ケーシング１４内にフェルール１２及びコイルスプリング１５を組み付けるには、まず、第２ケーシング部材１４２の隔壁１４２ａの孔１４２ｂを通じてフェルール１２のフェルール本体１２１を第１の部屋１４２ｃから第２の部屋１４２ｄに通す。このとき、フェルール１２のフランジ部１２２は隔壁１４２ａに突き当たり、第１の部屋１４２ｃに留まる。
【００８１】
次に、第１ケーシング部材１４１の収容部１４１ｂにコイルスプリング１５を配置する。この状態で、第１ケーシング部材１４１を第２ケーシング部材１４２の第１の部屋１４２ｃに挿入する。その結果、第１ケーシング部材１４１の突起１４１ｆが第２ケーシング部材１４２のロック孔１４２ｅに嵌り、第１ケーシング部材１４１と第２ケーシング部材１４２とが結合される。
【００８２】
その後、第１、第２ケーシング部材１４１，１４２を第３ケーシング部１４３に挿入する。その結果、第２ケーシング部材１４２の突起１４２ｆが第３ケーシング部材１４３の切欠き１４３ａに嵌り、第２ケーシング部材１４２が第３ケーシング部材１４３に係止される。
【００８３】
以上のようにしてケーシング１４に組み込まれたフェルール１２はフェルール本体１２１の長手方向に沿ってケーシング１４内を所定距離だけ移動可能である。また、フェルール本体１２１の先端部はコイルスプリング１５の押圧力によってケーシング１４の先端から突出する。
【００８４】
メカニカルスプライス１を組み立てるには、まず、ベース３のスリーブ収容溝３１に金属スリーブ１０を収容し、次に、カバー５をベース３に装着し、最後に、カバー５の収容溝５７にシャッタ９を収容する。このとき、カバー５の供給孔５９ｂがシャッタ９によって塞がれないように、シャッタ９を位置決めする。
【００８５】
以上のようにして予め組み立てられた光コネクタに光ファイバ１８を接続するには、
まず、フェルール１２に保持された中継用光ファイバ１７をメカニカルスプライス１の一端側部分３ｂの心線収容部３２ｂを通じて、第１光ファイバ収容溝３２に挿入する。
【００８６】
次に、メカニカルスプライス１の一端側部分３ｂを第１ケーシング部材１４１の挿入口１４１ｄに挿入して、一端側部分３ｂの突起３ｅを挿入口１４１ｄの凹部１４１ｈに嵌合させる。突起３ｅと凹部１４１ｈとが嵌合し、一端側部分３ｂの全部が挿入口１４１ｄに挿入されたとき、中継用光ファイバ１７の端部は金属スリーブ１０の窓孔１０ｂに達する。また、突起３ｅが凹部１４１ｈに嵌合すると、メカニカルスプライス１の一端側部分３ｂはケーシング１４から容易に抜けなくなる。
【００８７】
金属スリーブ１０に挿入された中継用光ファイバ１７の端部の位置が金属スリーブ１０の窓孔１０ｂの中央に位置するように、中継用光ファイバ１７の長さは設定されている。
【００８８】
その後、カバー５の供給孔５８ｂを通じて凹部５８にゼリー状のいわゆる瞬間接着剤を注入する。このとき、供給孔５８ｂから瞬間接着剤が少しあふれるようにする。瞬間接着剤としては固化した後も少し柔軟性を有するものが好ましい。
【００８９】
次に、カバー５の凹部５８にシャッタ８の係合片８２を挿入し（図７Ｃ、１１参照）、シャッタ８に力を加えてシャッタ８をほぼＵ字状に撓ませ、その状態でシャッタ８の係合片８３を第１ケーシング部材１４１の挿入穴１４１ｇに挿入し、シャッタ８に加えていた力を抜く。その結果、シャッタ８は弾性力によって真っ直ぐな状態に戻り、カバー５の収容溝５６に収容される。また、凹部５８内の瞬間接着材はシャッタ８によって押圧され、金属スリーブ１０の一端部を取り囲むように流動し、その一部は心線収容孔１０ａの端部に流入する。その結果、中継用光ファイバ１７は金属スリーブ１０の一端部に強固に固定されるとともに、心線収容孔１０ａの一端部の開口縁に中継用光ファイバ１７が直接接触するのが避けられる。
【００９０】
その後、スライダ７を交差方向Ｄｃに沿ってカバー５から離れるようにスライドさせる。その結果、ベース３のカムピン３６，３７はスライダ７のカム孔７２ａ，７２ｂ内を相対的に移動し、カム孔７２ａ，７２ｂの一端部に突き当たり、スライダ７が止まる。このときのスライダ７の位置が光ファイバ挿入位置（光ファイバ１８のハウジング２への挿入を容易にする位置）である。この位置では、スライダ７がベース３の上面から浮いた状態になり、第２光ファイバ収容溝３３への光ファイバ１８の挿入が容易になる。
【００９１】
次に、光ファイバ１８を第２光ファイバ収容溝３３に収容するとともに、光ファイバ１８の光ファイバ心線１８ａを金属スリーブ１０の心線収容孔１０ａ内に挿入する（図３Ａ参照）。
【００９２】
その後、カバー５の供給孔５９ｂを通じて凹部５９にゼリー状の瞬間接着剤を注入する。このとき、供給孔５９ｂから瞬間接着剤が少しあふれるようにする。
【００９３】
次に、スライダ７を長手方向Ｌに沿ってカバー５の方へ押圧し、図３Ａ、３Ｂで示すように、スライダ７を光ファイバ挿入位置から第２の光ファイバ固定位置（スライダ７によって光ファイバ１８をハウジング２に固定する位置）まで移動させる。
【００９４】
このとき、カムピン３６，３７がカム孔７２ａ，７２ｂに相対的に案内され、スライダ７は交差方向へＤｃに沿って移動する。移動の途中で、スライダ７の光ファイバ押え部７３の平坦面７３ａは光ファイバ１８と接触するため、スライダ７は光ファイバ１８を中継用光ファイバ１７の方へ送りながら光ファイバ固定位置まで移動することになる。また、光ファイバ１８の光ファイバ心線１８ａの端部は金属スリーブ１０の窓孔１０ｂが形成された部分で中継用光ファイバ１７の端部に突き合わされ、更に中継用光ファイバ１７の端部を一端側部分３ｂの方へ移動させる。その結果、中継用光ファイバ１７が第１の予圧空間内３２ａ内で撓み、その復帰力で光ファイバ１８の光ファイバ心線１８ａが第２の予圧空間３３ａ内で撓む。また、中継用光ファイバ１７の端部と光ファイバ１８の光ファイバ心線１８ａの端部とは金属スリーブ１０の窓孔１０ｂが形成された部分で突き合わされるので、中継用光ファイバ１７の端部と光ファイバ心線１８ａの端部との間に存在する空気等は窓孔１０ｂから排出される。
【００９５】
また、中継用光ファイバ１７と光ファイバ心線１８ａとの端部同士が突き合わされた後、中継用光ファイバ１７の端部と光ファイバ心線１８ａの端部とは一端側部分３ｂの方へ移動し、金属スリーブ１０の窓孔１０ｂのない位置に移動する。このため、窓孔１０ｂを通じて金属スリーブ１０内に入った外部の光は中継用光ファイバ１７の端部や光ファイバ心線１８ａの端部から光ファイバ１７，１８内に入ることができない。
【００９６】
スライダ７が光ファイバ挿入位置から光ファイバ固定位置まで移動したとき、スライダ７がシャッタ９に突き当たり、シャッタ９がカバー５のスリーブ押え部５３の方へ移動する。このとき、シャッタ９によりカバー５の供給孔５９ｂが閉じられるとともに、スライダ７の係合凹部７１ｇにシャッタ９の係合片９３が相対的に挿入される。また、シャッタ９の係合片９２がカバー５の係合片５３ｂの下にもぐりこむので、シャッタ９はカバー５とスライダ７とで係止される。
【００９７】
シャッタ９によりカバー５の供給孔５９ｂが閉じられたとき、凹部５９内の瞬間接着材はシャッタ９によって押圧され、金属スリーブ１０の他端部を取り囲むように流動し、その一部は心線収容孔１０ａの端部に流入する。これにより、光ファイバ１８の光ファイバ心線１８ａは金属スリーブ１０の他端部に強固に固定されるとともに心線収容孔１０ａの他端部の開口縁に光ファイバ心線１８ａが直接接触するのが避けられる。
【００９８】
また、凹部５８，５９内に注入された瞬間接着剤が硬化するまで、中継用光ファイバ１７と光ファイバ１８とには予圧がかけられているので、中継用光ファイバ１７の端部と光ファイバ心線１８ａの端部とが強く突き合わされた状態で金属スリーブ１０に接着される。
【００９９】
凹部５８，５９の接着剤が硬化すれば、中継用光ファイバ１７と光ファイバ１８との接続が完了する。
【０１００】
この実施形態の光コネクタによれば、次の作用効果を奏する。
【０１０１】
上述のように、スライダ７が光ファイバ挿入可能位置と光ファイバ固定位置との間で移動可能にハウジング２の他端部に設けられ、スライダ７が光ファイバ挿入可能位置から光ファイバ固定位置へ移動したとき、一方の光ファイバ１８の先端部を中継用光ファイバ１７の他端部に送って一方の光ファイバ１８をハウジング２に固定する。反対に、スライダ７が光ファイバ固定位置から光ファイバ挿入可能位置へ移動したとき、ハウジング２に対する一方の光ファイバ１８の固定状態が解除される。したがって、中継用光ファイバ１７と一方の光ファイバ１８との接続作業を簡単に行うことができる。
【０１０２】
従来の光コネクタでは、ベース部と押え部との間に挿入されているくさびを引き抜いたとき、ファイバ溝から短尺光ファイバや光ファイバの端面が持ち上がり、ガイド溝内で短尺光ファイバや光ファイバの端面がずれ、短尺光ファイバと光ファイバとを正しく接続できないことがあった。これに対し、この実施形態では、くさびを引く抜くような作業が無く、また、スライダ７が光ファイバ挿入可能位置から光ファイバ固定位置へ移動するとき、スライダ７が光ファイバ１８の先端部を中継用光ファイバ１７の他端部の方へ送るように構成されているので、中継用光ファイバ１７と光ファイバ１８とを正確に接続することができる。
【０１０３】
スライダ７の光ファイバ押え部７３は平坦面７３ａを有するので、平坦面７３ａによって光ファイ１８を強く押さえることができ、光ファイバ１８が抜けにくい。
【０１０４】
フェルール１２に中継用光ファイバ１７が保持されているので、中継用光ファイバ１７の長さの調整を正確に行えば、スライダ７による光ファイバ１８の送りの精度は高くなくても中継用光ファイバ１７の端部と光ファイバ心線１８ａの端部とを金属スリーブ１０の窓孔１０ｂが形成されている部分で突き合わせることができる。したがって、スライダ７の寸法精度を従来のメカニカルスプライスのレバーの寸法精度よりも低くすることができるので、コストダウンを図ることができる。
【０１０５】
カバー５の供給孔５８ｂ，５９ｂによって金属スリーブ１０の両端部に接着剤が供給されるので、接着剤によって中継用光ファイバ１７及び光ファイバ心線１８ａが金属スリーブ１０の心線収容孔１０ａの開口縁に直接接触することを避けることができる。その結果、振動の多いところにメカニカルスプライス１を配置しても中継用光ファイバ１７及び光ファイバ心線１８ａが金属スリーブ１０によって損傷する可能性を著しく低下させることができる。
【０１０６】
シャッタ８，９によってカバー５の供給孔５８ｂ，５９ｂが閉じられるときに、接着剤がハウジング２内に押し込まれるので、中継用光ファイバ１７と光ファイバ１８とを確実に金属スリーブ１０に接着することができる。
【０１０７】
接着剤が硬化するまで、スライダ７によって中継用光ファイバ１７と光ファイバ１８とに予圧がかけられるので、中継用光ファイバ１７と光ファイバ１８とが強く突き合わされた状態で中継用光ファイバ１７と光ファイバ１８とを金属スリーブ１０に接着することができる。その結果、光の伝送効率の低下を防止することができる。
【０１０８】
また、スライダ７には光ファイバ押え部７３が形成され、光ファイバ押え部７３の平坦面７３ａは光ファイバ１８と線接触するので、スライダ７は光ファイバ１８を強固に保持することができる。
【０１０９】
しかも、中継用光ファイバ１７と光ファイバ１８とは金属スリーブ１０に接着されるので、光ファイバ１８とを引っ張ってもハウジング２から容易に抜けない。
【０１１０】
また、スライダ７を光ファイバ挿入位置から光ファイバ固定位置まで移動させれば、カバー５の供給孔５９ｂをシャッタ９で自動的に閉じることができ、しかも、シャッタ９を自動的に係止することができる。
【０１１１】
ベース２の下面に複数の凹部３ｆを設けたので、成形時のベース２の変形を防止することができ、また、成型時に必要なエネルギー及び使用材料の削減をすることができる。
【０１１２】
なお、シャッタ８，９はベース３或いはカバー５に回転可能に連結してもよい。
【０１１３】
また、上述の実施形態では単芯用の光ファイバ同士を接続する光コネクタについて述べたが、多芯用の光コネクタにも本発明を適用することができる。
【０１１４】
なお、上述の実施形態では、スライダ７の光ファイバ押え部７３には平坦面７３ｂが形成されているが、光ファイバ押え部７３の光ファイバ１８を押える面は平坦面７３ｂに限られず、保持力を高めるため光ファイバ１８の長さ方向へ波打つ波形であってもよい。
【０１１５】
また、上述の実施形態では、中継用光ファイバ１７及び光ファイバ１８を金属スリーブ１０に接着したが、中継用光ファイバ１７及び光ファイバ１８が強く引っ張られる虞が少ない場合、或いは光コネクタが振動の少ないところに設置される場合等には、中継用光ファイバ１７及び光ファイバ１８を金属スリーブ１０に接着しなくても構わない。
【０１１６】
なお、ベース３には、第１の予圧空間部３２ａが形成されているが、第１の予圧空間３２ａは省略することがきる。
【０１１７】
また、上述の実施形態では、開閉部材として２つのシャッタ８，９を用いたが、開閉部材は１つでも構わない。
【０１１８】
なお、上述の実施形態では金属スリーブ１０を用いたが、スリーブの材料は金属に限られない。
【０１１９】
また、上述の実施形態では、突起３ｅによってハウジング２の一端側部分３ｂをケーシング１４の挿入口１４１ｄに固定するようにしたが、一端側部分３ｂに雄ねじを形成し、挿入口１４１ｄに雌ねじを形成し、この雄ねじと雌ねじの螺合によって固定してもよいし、ピン等を用いて一端側部分３ｂを挿入口１４１ｄに固定してもよい。
【図面の簡単な説明】
【０１２０】
【図１】図１はこの発明の一実施形態に係る光コネクタを斜め上方から見た分解斜視図である。
【図２】図２は図１に示す光コネクタを別のアングルから見た分解斜視図である。
【図３Ａ】図３Ａは図１に示す光コネクタの中継用光ファイバと一方の光ファイバとを接続する前の状態を示す側面図である。
【図３Ｂ】図３Ｂは同光コネクタの中継用光ファイバと一方の光ファイバとを接続した後の状態を示す側面図である。
【図３Ｃ】図３Ｃは同光コネクタの中継用光ファイバと一方の光ファイバとを接続した後の状態を示す平面図である。
【図４】図４は図１に示す光コネクタの第３ケーシング部材を水平に切断した図である。
【図５Ａ】図５Ａはベースの正面図である。
【図５Ｂ】図５Ｂは同ベースの平面図である。
【図５Ｃ】図５Ｃは図５ＢのＶＣ−ＶＣ線に沿う断面図である。
【図５Ｄ】図５Ｄは同ベースの右側面図である。
【図６Ａ】図６Ａは図２に示すベースの斜視図である。
【図６Ｂ】図６Ｂは同ベースを裏返した状態を示す斜視図である。
【図７Ａ】図７Ａは図１に示す光コネクタのメカニカルスプライスのハウジングのカバーの正面図である。
【図７Ｂ】図７Ｂは同カバーの平面図である。
【図７Ｃ】図７Ｃは図７ＢのVIIＣ−VIIＣ線に沿う断面図である。
【図８Ａ】図８Ａは図７に示すカバーの斜視図である。
【図８Ｂ】図８Ｂは同カバーを裏返しにした状態を示す斜視図である。
【図９Ａ】図９Ａは図１の光コネクタのメカニカルスプライスのスライダの正面図である。
【図９Ｂ】図９Ｂは同スライダの平面図である。
【図９Ｃ】図９Ｃは同スライダの底面図である。
【図９Ｄ】図９Ｄは図９ＢのIXＤ−IXＤ線に沿う断面図である。
【図９Ｅ】図９Ｅは同スライダの左側面図である。
【図９Ｆ】図９Ｆは同スライダの右側面図である。
【図１０Ａ】図１０Ａは図８に示すスライダの斜視図である。
【図１０Ｂ】図１０Ｂは同スライダを図１０Ａと反対方向から見た斜視図である。
【図１０Ｃ】図１０Ｃは同スライダを裏返した状態を示す斜視図である。
【図１０Ｄ】図１０Ｄは同スライダを図１０Ｃと反対方向から見た斜視図である。
【図１１Ａ】図１１Ａはシャッタの正面図である。
【図１１Ｂ】図１１Ｂは同シャッタの平面図である。
【図１１Ｃ】図１１Ｃは同シャッタの底面図である。
【図１１Ｄ】図１１Ｄは同シャッタの側面図である。
【符号の説明】
【０１２１】
２  ハウジング
３  ベース
３３ａ  第２の予圧空間部
３６  カムピン
３７  カムピン
５  カバー
５８ｂ  供給孔
５９ｂ  供給孔
７  スライダ（光ファイバ固定手段）
７２ａ  カム孔
７２ｂ  カム孔
７３ａ  平坦面
８  シャッタ（開閉部材）
９  シャッタ（開閉部材）
１０  金属スリーブ（スリーブ）
１２  フェルール
１４  ケーシング
１５  コイルスプリング（弾性体）
１７  中継用光ファイバ
１８  光ファイバ（一方の光ファイバ）
【要約】
【課題】フェルールに支持された中継用光ファイバとこれに接続される一方の光ファイバとの接続作業を簡単に行うことができる光コネクタを提供する。
【解決手段】中継用光ファイバ１７の一端部を支持したフェルール１２をケーシングを介してハウジング２の他端側部分に光ファイバ挿抜方向へ移動可能に設ける。中継用光ファイバ１７の他端部とこれに接続される光ファイバ１８の先端部とを付き合わせる金属スリーブ１０をハウジング２に収容する。相手側コネクタに接続可能なケーシングをハウジング２の一端側部分３ｂに設ける。フェルール１２の先端部がケーシングの一端部から押し出される方向へフェルール１２を押すコイルスプリング１５をケーシング内に設ける。光ファイバ１８の先端部を中継用光ファイバ１７の他端部に送って光ファイバ１８をハウジング２に固定するスライダ７をハウジング２の他端側部分に設ける。
【選択図】図３Ａ【図１】
0004083789.tif 000002
【図２】
0004083789.tif 000003
【図３Ａ】
0004083789.tif 000004
【図３Ｂ】
0004083789.tif 000005
【図３Ｃ】
0004083789.tif 000006
【図４】
0004083789.tif 000007
【図５Ａ】
0004083789.tif 000008
【図５Ｂ】
0004083789.tif 000009
【図５Ｃ】
0004083789.tif 000010
【図５Ｄ】
0004083789.tif 000011
【図６Ａ】
0004083789.tif 000012
【図６Ｂ】
0004083789.tif 000013
【図７Ａ】
0004083789.tif 000014
【図７Ｂ】
0004083789.tif 000015
【図７Ｃ】
0004083789.tif 000016
【図８Ａ】
0004083789.tif 000017
【図８Ｂ】
0004083789.tif 000018
【図９Ａ】
0004083789.tif 000019
【図９Ｂ】
0004083789.tif 000020
【図９Ｃ】
0004083789.tif 000021
【図９Ｄ】
0004083789.tif 000022
【図９Ｅ】
0004083789.tif 000023
【図９Ｆ】
0004083789.tif 000024
【図１０Ａ】
0004083789.tif 000025
【図１０Ｂ】
0004083789.tif 000026
【図１０Ｃ】
0004083789.tif 000027
【図１０Ｄ】
0004083789.tif 000028
【図１１Ａ】
0004083789.tif 000029
【図１１Ｂ】
0004083789.tif 000030
【図１１Ｃ】
0004083789.tif 000031
【図１１Ｄ】
0004083789.tif 000032